(57)【要約】【課題】  窓口のカウンターの上に設置できるサイズであり、機密性・安全性が高く、細断屑の収容能力も高いシュレッダーを提供する。【解決手段】  細断屑を収容する屑収容部を内部に有する筐体と、前記筐体の表側面部に形成され、紙葉類又は記録媒体の被細断物を投入可能な投入口と、前記筐体の裏側面部に形成され、前記細断屑を前記屑収容部から取り出すための扉と、前記筐体内に設けられ、前記投入口から投入された前記被細断物を細断するための細断刃を備えた細断機構部と、を含むようにした。【選択図】図１
2015217339.tif 000002
【特許請求の範囲】
【請求項１】
細断屑を収容する屑収容部を内部に有する筐体と、
前記筐体の表側面部に形成され、紙葉類又は記録媒体の被細断物を投入可能な投入口と、
前記筐体の裏側面部に形成され、前記細断屑を前記屑収容部から取り出すための扉と、
前記筐体内に設けられ、前記投入口から投入された前記被細断物を細断するための細断刃を備えた細断機構部と、
を含むことを特徴とするカウンター設置型シュレッダー。
【請求項２】
前記細断機構部を支持する支持フレーム部材の上端に取付け部を設け、前記筐体の上端に前記支持フレーム部材の取付け部が取り付けられることで、前記細断機構部が前記筐体の内部に吊り下げられてなることを特徴とする請求項１記載のカウンター設置型シュレッダー。
【請求項３】
前記屑収容部を透明とし、前記筐体の一部を透明とすることで、細断屑の収容状態を外側から視認可能としてなることを特徴とする請求項１又は２記載のカウンター設置型シュレッダー。
【発明の詳細な説明】
【技術分野】
【０００１】
本発明は、シュレッダーに関し、特に、外来者に応対し、金銭や書類の受け渡しなどの事務を執る窓口のカウンターに設置するのに適したカウンター設置型シュレッダーに関する。
【背景技術】
【０００２】
シュレッダーは、不要文書等の被細断物をその内容の判別が不能までに細断刃で細断する機械である。シュレッダーとしては、例えば特許文献１に示すものが知られている。
【０００３】
また、図５〜６に従来の一般的なシュレッダーの構造を示す。図５〜６において、符号１００は、従来のシュレッダーを示す。
【０００４】
従来のシュレッダー１００は、細断屑を収容する屑収容部１０２を内部に有する筐体１０４と、前記筐体１０４の上面部に形成され、紙葉類又は記録媒体の被細断物を投入可能な投入口１０６と、前記筐体１０４の表側面部１０８に形成され、前記細断屑を前記屑収容部から取り出すための扉１１０と、前記筐体１０４内に設けられ、前記投入口１０６から投入された前記被細断物を細断するための細断刃を備えた細断機構部（図示は省略）と、を含む構造となっている。
【０００５】
前記細断機構部は、図６（ａ）によく示される如く、細断機構部を支持する支持フレーム部材１１２を有している。そして、前記支持フレーム部材１１２は、図６（ｂ）によく示される如く、細断機構部固定台１１４の上に載置固定されている。
【０００６】
そして、前記筐体１０４の内部には、前記細断機構部を載置固定するための細断機構部固定台１１４が設けられているとともに、前記細断機構部固定台１１２に、屑収容部１０２が取り付けられている。
【０００７】
銀行・郵便局・企業・官庁・駅などにおける、外来者に応対し、金銭や書類の受け渡しなどの事務を執る窓口では、例えば、通帳や明細、書き損じた紙などは、機密性・安全性の観点からは、なるべくその場でシュレッダーで細断すること望ましい。
【０００８】
このようなシュレッダーサービスを提供するにあたっては、しかしながら、上記した特許文献１に示すような従来のシュレッダーや上記した従来のシュレッダーでは、筐体の上面部に投入口が設けられているため、窓口のカウンターの上に置いた場合、外来者は伸び上って覗き込まないとシュレッダーの投入口が確認できない。
【０００９】
また、上記した特許文献１に示すような従来のシュレッダーや上記した従来のシュレッダーは、床において使うサイズとなっており、窓口のカウンターの上に置けるサイズではない。小型の卓上用シュレッダーも市販されているが、製品自体が小さく構成されており、細断屑の収容能力が低い。
【００１０】
また、従来はシュレッダーの筐体の扉は表側面部に設けられていたため、シュレッダーを置くと外来者の側に扉が位置することなり、外来者に勝手に扉を開けられてしまう問題があった。特に、銀行等の窓口では、外来者に勝手にシュレッダーの扉を開けられてしまうと、機密性・安全性に問題がある。
【先行技術文献】
【特許文献】
【００１１】
【特許文献１】特開平１０−２６３４２６号公報
【発明の概要】
【発明が解決しようとする課題】
【００１２】
本発明は、上記従来技術の問題点に鑑みてなされたもので、窓口のカウンターの上に設置できるサイズであり、機密性・安全性が高く、細断屑の収容能力も高いシュレッダーを提供することを目的とする。
【課題を解決するための手段】
【００１３】
上記課題を解決するために、本発明のシュレッダーは、細断屑を収容する屑収容部を内部に有する筐体と、前記筐体の表側面部に形成され、紙葉類又は記録媒体の被細断物を投入可能な投入口と、前記筐体の裏側面部に形成され、前記細断屑を前記屑収容部から取り出すための扉と、前記筐体内に設けられ、前記投入口から投入された前記被細断物を細断するための細断刃を備えた細断機構部と、を含むことを特徴とする。
【００１４】
このように紙葉類等を投入する投入口を、前記筐体の表側面部に形成したことにより、カウンターの上に設置した状態で外来者が容易に被細断物を投入できる。
【００１５】
また、前記細断屑を前記屑収容部から取り出すための扉が、前記筐体の裏側面部に形成されているため、外来者が勝手に扉の開閉を行えないようにし、機密性・安全性を向上させた。
【００１６】
これにより、例えば、銀行等の窓口のカウンターに設置した場合、外来者は勝手に扉の開閉を行うことができず、窓口の銀行事務員のみが細断屑の取り出しや処理等を行うことが可能となる。
【００１７】
また、前記細断機構部を支持する支持フレーム部材の上端に取付け部を設け、前記筐体の上端に前記支持フレーム部材の取付け部が取り付けられることで、前記細断機構部が前記筐体の内部に吊り下げられてなるようにすることが好ましい。
【００１８】
このように構成することで、従来は細断機構部を載置固定するために不可欠であった細断機構部固定台の設置が不要となり、製品コストの低減はもとより、屑収容スペースの拡大が可能となった。
【００１９】
また、細断機構部を吊り下げ構造としたことで、前記細断機構部に、屑収容袋を直接取り付けることも可能となるため、細断屑の飛散低減も可能となる。
【００２０】
さらに、前記屑収容部を透明とし、前記筐体の一部を透明とすることで、細断屑の収容状態を外側から視認可能としてなるのが好適である。
【００２１】
このように、細断屑が収容される箇所の筐体を透明とすることで、前記屑収容部を透明にすれば、前記扉の開閉を行わなくても、細断屑の状態及び量が確認できる。また、窓口でシュレッダーサービスを提供する場合、利用者である外来者が細断屑を確認できるため、機密保持の確認がその場でできるため安心感を得ることができる。
【発明の効果】
【００２２】
本発明のシュレッダーによれば、窓口のカウンターの上に設置できるサイズであり、機密性・安全性が高く、細断屑の収容能力も高いシュレッダーを提供することができるという著大な効果を奏する。
【図面の簡単な説明】
【００２３】
【図１】本発明のシュレッダーの一つの実施の形態を示す概略斜視図である。
【図２】図１のシュレッダーを窓口のカウンターの上に載置した状態を示す概略斜視図である。
【図３】図１のシュレッダーを裏側からみた概略斜視図であって、（ａ）が扉が閉まっている状態、（ｂ）が扉が開いている状態を示す。
【図４】本発明のシュレッダーの支持フレーム部材を示す概略斜視図であって、（ａ）が取り付けようとしている状態、（ｂ）が取り付け後の状態を示す。
【図５】従来のシュレッダーを示す概略斜視図である。
【図６】図５のシュレッダーの支持フレーム部材を示す概略斜視図であって、（ａ）が取り付けようとしている状態、（ｂ）が取り付け後の状態を示す。
【発明を実施するための形態】
【００２４】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００２５】
図１〜図４に本発明のシュレッダーの一つの実施の形態を示す。図１〜図４において、符号１０は本発明のシュレッダーを示す。
【００２６】
シュレッダー１０は、細断屑を収容する屑収容部１２を内部に有する筐体１４と、前記筐体１４の表側面部１６に形成され、紙葉類又は記録媒体の被細断物を投入可能な投入口１８と、前記筐体１４の裏側面部２０に形成され、前記細断屑を前記屑収容部１２から取り出すための扉２２と、前記筐体１４内に設けられ、前記投入口１８から投入された前記被細断物を細断するための細断刃を備えた細断機構部と、を含む構造とされている。
【００２７】
このように、シュレッダー１０では、紙葉類等を投入する投入口１８を、前記筐体１４の表側面部１６に形成したことにより、カウンター２４の上に設置した状態で外来者２６が容易に利用しやすくなっている。投入口１８の位置としては、前記筐体１４の表側面部１６の上側に位置するのが好適である。
【００２８】
そして、前記細断屑を前記屑収容部１２から取り出すための扉２２は、筐体１４の裏側面部２０に形成されているため、窓口の対応者２８（管理者）のみが扉２２の開閉を行うことができ、外来者２６（利用者）は勝手に扉２２の開閉を行うことができない構造となっている。なお、扉２２には鍵を付けることがさらに好ましい。
【００２９】
また、前記筐体１４の下端には、地震の際などに、シュレッダー１０の転倒を防止するための、転倒防止金具３０が設けられている。
【００３０】
このように構成されているため、外来者２６は、例えば不要の通帳３２などを細断したい場合には、投入口１８に入れることで容易に細断することができる。
【００３１】
また、前記細断機構部を支持する支持フレーム部材３４の上端には、取付け部３６が設けられており、前記筐体１４の上端に前記支持フレーム部材３４の取付け部３６が取り付けられることで、前記細断機構部が前記筐体１４の内部に吊り下げられる構造となっている。これにより、製品コストの低減はもとより、屑収容スペースの拡大が可能となった。
【００３２】
また、細断機構部を支持フレーム部材３４を介して吊り下げ構造としたことで、屑収容部１２である屑収容袋を前記支持フレーム部材３４に直接取り付けることができるため、細断屑の飛散低減も可能となる。
【００３３】
図示例では、取付け部３６としては、フック状取付け部とし、前記筐体１４の上端に設けられた凹部にフック状取付け部を引掛けて掛止される構造とした例を示した。なお、吊り下げ構造であればよいものであるから、図示例以外の構造でも適用できることは勿論である。
【００３４】
なお、細断機構部については、図示を省略するが、特許文献１に記載の細断機構を含めて、従来公知の種々の細断機構を採用することができる。
【００３５】
さらに、前記屑収容部１２を透明とし、前記筐体１４の一部を透明とすることで、細断屑の収容状態を外側から視認可能とすることができる。
【００３６】
図示例では、屑収容部１２として透明のビニール袋を使用しており、屑収容部１２に対応する筐体１４の表側面部１６の一部がガラスで透明部３８とされている。また、同様に、屑収容部１２に対応する筐体１４の裏側面部２０の一部がガラスで透明部４０とされている。これにより、細断屑の収容状態を外側から視認可能とすることができる。なお、図示例では、筐体１４の一部を透明部３８，４０としたが、筐体１４の表側面部１６及び裏側面部２０の全面を透明としてもよい。
【００３７】
上述した構成のシュレッダー１０を用いれば、銀行・郵便局・企業・官庁・駅などにおける、外来者に応対し、金銭や書類の受け渡しなどの事務を執る窓口の上に載置し、例えば、通帳や明細、書き損じた紙などを、その場でシュレッダーで細断することができるため、機密性・安全性の確保が可能となる。
【符号の説明】
【００３８】
１０：シュレッダー、１２，１０２：屑収容部、１４，１０４：筐体、１６，１０８：表側面部、１８，１０６：投入口、２０：裏側面部、２２，１１０：扉、２４：カウンター、２６：外来者、２８：対応者、３０：転倒防止金具、３２：通帳、３４，１１２：支持フレーム部材、３６：取付け部、３８，４０：透明部、１００：従来のシュレッダー、１１４：細断機構部固定台。
【図１】
2015217339.tif 000003
【図２】
2015217339.tif 000004
【図３】
2015217339.tif 000005
【図４】
2015217339.tif 000006
【図５】
2015217339.tif 000007
【図６】
2015217339.tif 000008